(57)【要約】【課題】  店頭で任意に選択された種々の商品を、意匠感を損なうことなく汎用の包装箱に箱詰めして贈答に供し得るビジネス方法及びこれに使用する包装箱セットを提供すること。【解決手段】  矩形箱状の外ケース(11)に挿抜自在に装着される引出しを備えた包装箱(1)と、前記引出し内に商品充填空間が残るように装填される人形状の緩衝材(2)とから成る包装箱セットを用いるビジネス方法であって、前記包装箱セットを商品販売店に予めストックしておき、消費者が店頭で任意に選択した種々の商品を前記商品充填空間に充填して販売する。【選択図】  図１
2005200042.tif 000002
【特許請求の範囲】
【請求項１】
矩形箱状の外ケースに挿抜自在に装着される引出しを備えた包装箱と、前記引出し内に商品充填空間が残るように装填される人形状の緩衝材とから成る包装箱セットを用いるビジネス方法であって、
前記包装箱セットを商品販売店に予めストックしておき、
消費者が店頭で任意に選択した種々の商品を前記商品充填空間に充填して販売する、ビジネス方法。
【請求項２】
請求項１に記載のビジネス方法に於いて、
前記引出しには、メッセージカードが投入されている、ビジネス方法。
【請求項３】
矩形箱状の外ケースに引出しが挿抜自在に装着された包装箱と、前記引出しに商品充填空間が残るように収納される人形状の緩衝材とから成る、包装箱セット。
【請求項４】
請求項３に記載の包装箱セットに於いて、
前記人形状の緩衝材は、縫い包みである人形本体と、該人形本体の手に面ファスナで着脱自在に保持され且つ装飾機能を発揮する補助緩衝材を備えている、包装箱セット。
【発明の詳細な説明】
【技術分野】
【０００１】
本発明は、商品を店頭で箱詰め包装して販売するビジネス方法及び、これに使用する包装箱セットに関するものである。
【背景技術】
【０００２】
近年、商品リストから選択した贈答品と共に祝電を申し込むことにより、祝電に花束やぬいぐるみ等を添えて贈ることも成されるようになっている。そして、このように花束等を添えることで深い祝意等を伝え得るようにしている。
【特許文献１】特開２００２−１２２７９号公報
【発明の開示】
【発明が解決しようとする課題】
【０００３】
ところが、上記のものでは、祝電に添える贈り物は、上記のように商品リストから選択しなければならず、商品選択の自由度が前記商品リスト内に制限される。
そこで、上記商品選択の自由度を高めるため、贈り主が店頭で任意に選択した種々の商品と祝電等のメッセージカードとを共通の包装箱に箱詰めし、これを宅配便等で受取人宛てに送ることも考えられる。
【０００４】
ところが、店頭で任意に選択された種々の商品を箱詰めする場合には、箱詰めする商品の数や大きさ等の特性に適した形状・大きさの包装箱を準備することが困難なことから、包装箱の共通化を図るべく、汎用の包装箱に箱詰めされる。
この場合、前記汎用の包装箱に瓶詰めワインや板チョコ等の割れ易い商品を箱詰めするときは、包装箱の内面と商品との間隙に緩衝材を充填することにより、運搬時の衝撃で商品が破損するのを防止する必要がある。
【０００５】
しかしながら、従来の緩衝材は、専ら運搬時の衝撃吸収機能しか果たさず、装飾的機能を発揮しないから、充填された緩衝材が包装内容の意匠感を損ない、贈答品としての価値を半減させるという問題があった。
本発明は、店頭で任意に選択された種々の商品を、意匠感を損なうことなく汎用の包装箱に箱詰めして贈答に供し得るビジネス方法及びこれに使用する包装箱セットを提供することを課題とする。
【課題を解決するための手段】
【０００６】
[請求項１に係る発明]
上記課題を解決する為の請求項１に係る発明の技術的手段は、
『矩形箱状の外ケースに挿抜自在に装着される引出しを備えた包装箱と、前記引出し内に商品充填空間が残るように装填される人形状の緩衝材とから成る包装箱セットを用いるビジネス方法であって、
前記包装箱セットを商品販売店に予めストックしておき、
消費者が店頭で任意に選択した種々の商品を前記商品充填空間に充填して販売する』ことである。
ここで上記人形とは人間又は動物を模して作ったものを言う。
上記技術的手段によれば、消費者たる贈り主が店頭で任意に選択した種々の商品を、引出し内の人形状の緩衝材の周囲に充填し、その後、前記引出しを外ケースに差し込んだ状態で贈答品として宅配便等で受取人に送る。すると、人形状の緩衝材が運搬時等に生じる衝撃を吸収する機能を発揮し、これにより、瓶詰めワインや板チョコ等の割れ易い商品の破損が防止される。
【０００７】
一方、緩衝材は人形状に形成されているので、専ら衝撃吸収機能しか発揮しない従来の緩衝材と相違し、包装内容の意匠感が損なわれない。
尚、上記包装箱に箱詰めされた贈答品を店頭から発送することなく、そのまま持ち帰って受取人に手渡しすることもできる。
【０００８】
[請求項２に係る発明]
前記請求項１に係る発明に於いて、
『前記引出しには、メッセージカードが投入されている』ものでは、メッセージカードを添えることで、受取人への深い祝意等を伝えることができる。
【０００９】
[請求項３に係る発明]
請求項３に係る発明は、前記請求項１に係るビジネス方法に用いられる包装箱セットに関するものである。
請求項３に係る発明の技術的手段は、
『矩形箱状の外ケースに引出しが挿抜自在に装着された包装箱と、前記引出しに商品充填空間が残るように収納される人形状の緩衝材とから成る包装箱セット』としたことである。
請求項３に係る発明によれば、店頭で購入した種々の商品を人形状の緩衝材と共に引出しに収納することができ、請求項１の発明の作用で説明したように、瓶詰めワインや板チョコ等の割れ易い商品の破損が防止されると共に、包装内容の意匠感が損なわれることがない。
【００１０】
[請求項４に係る発明]
請求項３に係る発明に於いて、
『前記人形状の緩衝材は、縫い包みである人形本体と、該人形本体の手に面ファスナで着脱自在に保持され且つ装飾機能を発揮する補助緩衝材を備えている』ものでは、人形本体と補助緩衝体を結合・分離することにより、商品を収納した引出し内に生じる間隙の態様に応じて、人形本体と補助緩衝体を一体として又別体として、充填することができる。
又、人形本体に対して補助緩衝体を着脱することにより、人形状緩衝体の外観が変化し、包装内容の意匠感の自由度を高めることができる。
【発明の効果】
【００１１】
以上のように、請求項１に係る発明によれば、人形状の緩衝材が運搬時等の衝撃吸収機能を発揮するから、瓶詰めワインや板チョコ等の割れ易い商品の破損が防止される。又、緩衝材が人形状に形成されているから、意匠感を損なうことなく汎用の包装箱に箱詰めすることができる。
更に、包装箱は引出し式であるから、包装箱として使用した後には、小物整理箱としても使用することができる。
【００１２】
請求項３に係る発明によれば、請求項１に係るビジネス方法に用いられる包装箱セットを提供することが出来る。
請求項４に係る発明によれば、人形本体と補助緩衝体を結合・分離することにより、人形状緩衝体の外観が変化し、包装内容の意匠感の自由度を高めることができる。
【発明を実施するための最良の形態】
【００１３】
以下に、本発明を実施するための最良の形態について添付図面を参照しながら説明する。
図１は、包装箱(1)とこれに収納される緩衝材(2)とから成る包装箱セットと、メッセージカード(3)の斜視図である。
包装箱(1)は、前方に開放する矩形箱状の外ケース(11)と、その前方開放部(12)を介して外ケース(11)内に挿抜自在に差し込まれる引出し(15)とから構成されたもので、これら外ケース(11)や引出し(15)は厚紙や段ボール紙を適宜折り畳んで構成されている。
【００１４】
外ケース(11)の表面には水玉模様の装飾が施されており、これにより、贈答品全体の意匠感が確保されるようになっている。
引出し(15)は上方開放の箱体で構成されており、該引出し(15)の前面には円弧状の取っ手用開口(16)が開設されている。
【００１５】
一方、緩衝材(2)は、本実施の形態では、クッション性を有する熊の縫い包みである人形本体(21)と、該人形本体(21)の手(23)(23)に保持させる補助緩衝材(22)とから構成されていると共に、該補助緩衝材(22)はキャンディを模して作られており、これにより、補助緩衝材(22)も装飾機能を発揮するようになっている。又、人形本体(21)の手(23)(23)の掌には面ファスナの雄具又は雌具が設けられている一方、補助緩衝材(22)の両端部には前記雄具又は雌具に着脱自在に結合される面ファスナの雌具又は雄具が設けられている。これにより、前記面ファスナを利用して補助緩衝材(22)と人形本体(21)を結合・分離することができる。
尚、本実施の形態では、熊の縫い包みを人形本体(21)としているが、他の動物や人物のキャラクターの縫い包みを人形本体(21)として採用してもよい。
【００１６】
メッセージカード(3)は、中央で二つ折りされるようになっており、折り畳んだ状態で外面となる部分には水玉模様の装飾が施されている。従って、このメッセージカード(3)に贈り主のメッセージを書き込んで引出し(15)内に投入しておくことにより、一層深い祝意等を表すことができる。
【００１７】
次に、上記包装箱セットを用いたビジネス方法を説明する。
包装箱セットを、コンビニエンスストア等の商品販売店にストックしておく。又、前記包装箱セットの見本を、店頭に展示しておく。
消費者たる贈答主は、店頭で瓶詰めワイン等の酒類や飲料類、更に、板チョコレート等の商品(4)を、任意に購入し、この購入した商品(4)を図２の如く、引出し(15)内に於ける緩衝材(2)の近傍の商品充填空間(26)に収納する。又、商品(4)の大きさや形状等の特性を考慮し、商品(4)の周囲に生じる間隙に人形本体(21)と補助緩衝材(22)を一体化した状態又は分離した状態で充填する。すると、人形状の緩衝材(2)が運搬時等の衝撃吸収機能を発揮し、これにより、瓶詰めワインや板チョコ等の割れ易い商品(4)の破損が防止される。又、緩衝材(2)は熊の縫い包みである人形状に形成されているから、専ら緩衝機能しか発揮しない緩衝材を充填する場合と相違し、緩衝材(2)が引出し(15)内の包装内容を装飾する機能を発揮し、贈答品としての商品価値が高くなる。
【００１８】
そして、商品(4)やメッセージカード(3)等を箱詰めした包装箱(1)を贈呈に供する。
尚、商品(4)等を箱詰めした包装箱(1)を更に図示しないダンボール製の保護ケースで外装し、この状態で宅配便等で送ってもよいが、商品(4)等を箱詰めした包装箱(1)を持ち帰って直接的に受取人に贈呈してもよい。これにより、緩衝材(2)と包装箱(1)とから構成される包装箱セット自体にブランドイメージを化体させることができ、包装箱セット自体に顧客吸引力を発揮させることができる。又、消費者は、前記包装箱セットとこれに箱詰めされる商品(4)とのコラボレーション商品としても認識するから、多様性のあるコラボレーション商品を構築することができる。
【００１９】
尚、図３に示すように、写真固定シール(5)によって外ケース(11)の表面に贈り主の写真等を貼着しても良い。この写真固定シール(5)は、裏面に粘着剤(54)を塗布したシートの略中央部に透明窓部(51)（裏面には粘着剤(54)は塗布されていない）を形成したもので、該透明窓部(51)の外周域には模様(52)が適宜表されている。このものでは、写真固定シール(5)の透明窓部(51)の裏側に贈り主の顔写真(6)を重ね合わせ、この状態で写真固定シール(5)の接着剤(54)塗布域を外ケース(11)上に貼着する。このようにすると、贈り主のイメージを視覚的に認識させることができる。
【００２０】
尚、種々の商品(4)をインターネットで選択できるようにし、更に、パーソナルコンピュータや携帯電話等の通信端末から商品(4)の選択と、メッセージカード(3)への記入メッセージや受取人の住所等の入力や、写真画像の入力を行い、これらを業者が既述包装箱セットで包装して宅配業者等によって贈り主の指定日に受取人に送るようにしてもよい。
【図面の簡単な説明】
【００２１】
【図１】包装箱セットを表した斜視図
【図２】商品(4)を箱詰めする態様を説明する図
【図３】外ケース(11)に写真固定シール(5)を貼着する使用態様の説明図
【符号の説明】
【００２２】
(1)・・・包装箱
(2)・・・緩衝材
(3)・・・メッセージカード
(4)・・・商品
(11)・・・外ケース
(15)・・・引出し
(21)・・・人形本体
(22)・・・補助緩衝材
(26)・・・商品充填空間
【図１】
2005200042.tif 000003
【図２】
2005200042.tif 000004
【図３】
2005200042.tif 000005